(57)【要約】      （修正有）【課題】床面などを確実に保護することができる丈夫な養生シートにおいて、小さく畳んで使用、運搬、収納、保管に便利なようにした養生シートを提供する。【解決手段】発泡倍率を１．２〜１．８とし、その厚さを１．３〜３ｍｍとした発泡ポリオレフィンシート２を用意し、こうしたシートの表面３及び裏面４から交互に複数の折線５を設けることによって、蛇腹折り可能な養生シート１とする。折線５は、シートの表面３又は裏面４からシートの厚さの１／２〜２／３の深さとなるように断面がＵ字状の溝部１０に形成しており、この溝部１０で山折り可能にしている。折線５を形成する溝部１０の側端縁には、上記シートの表面又は裏面から盛上った堤状部１１を形成している。【選択図】図３
0003190057.tif 000002
【実用新案登録請求の範囲】
【請求項１】
発泡倍率を１．２〜１．８とし、厚さを１．３〜３ｍｍとした発泡ポリオレフィンシートを有し、該シートを蛇腹折り可能とするようにシートの表面及び裏面から交互に複数の折線を設けた養生シート。
【請求項２】
上記折線は、シートの表面又は裏面からシートの厚さの１／２〜２／３の深さとなるように断面がＵ字状の山折り可能な溝部に形成されている請求項１に記載の養生シート。
【請求項３】
上記折線を形成する溝部の側端縁は、上記シートの表面又は裏面から盛上った堤状部が形成されている請求項１または２に記載の養生シート。
【請求項４】
上記発泡ポリオレフィンが、発泡ポリプロピレンである請求項１〜３のいずれかに記載の養生シート。
【請求項５】
上記養生シートは床面用のものである請求項１〜４のいずれかに記載の養生シート。
【考案の詳細な説明】
【技術分野】
【０００１】
本考案は、床面用その他に用いることができる養生シートに関する。
【背景技術】
【０００２】
引越し、模様替え、物品の搬入、搬出などの際には、それらの作業に伴う損傷から壁面や床面を保護する必要がある。
壁面などは、柔軟なプラスチックシートロール、エアキャップロール、ダンボールロールなどを必要な長さに巻き戻し、粘着テープで仮止めすることによって養生をすることが行われている。
【０００３】
しかし、床面の養生に上記のようなロール物を用いた場合、運搬器具を使用した物品の搬入、搬出時の作業に耐えることができないことから、床面の養生には、ベニア板、プラスチック板、プラスチック製ダンボール板などの丈夫な板状物が使用されている。（特許文献１）
【０００４】
また、場合によっては壁面などを保護するためにも、床面用と同様の丈夫な板状物を使用しなければならない場合もある。
上記した板状物は、通常９０×１８０ｃｍ程度の大きさに形成してあって、保管に広いスペースを必要とし、運搬にも手間を要するし、小量であってもトラックでなければ運べないという種々の不便さがある。
【先行技術文献】
【特許文献】
【０００５】
【特許文献１】特開平６−１７９２４５号公報
【考案の概要】
【考案が解決しようとする課題】
【０００６】
本考案は、上記の如き床面等を確実に保護することができる丈夫な養生シートを小さく畳んで運搬、収納、保管することができるようにするものである。
【課題を解決するための手段】
【０００７】
本考案においては、発泡倍率を１．２〜１．８とし、その厚さを１．３〜３ｍｍとした発泡ポリオレフィンシートを用意し、こうしたシートの表面及び裏面から交互に複数の折線を設けることによって、このシートを蛇腹折り可能な養生シートとする。
上記の折線は、シートの表面又は裏面からシートの厚さの１／２〜２／３の深さとなるように断面がＵ字状などの溝部に形成されており、この溝部で山折りを可能にしている。
また、上記折線を形成する溝部の側端縁には、上記シートの表面又は裏面から盛上った堤状部を形成するようにしている。
【考案の効果】
【０００８】
本考案によれば、厚みのある低発泡性のポリオレフィンシートは固くて丈夫であるが、複数の折線をシートの表面及び裏面から交互に設けるようにしてあるので、蛇腹状に折畳んで小さくすることができ、こうした養生シートの保管、取扱い、運搬などを容易に行うことができる。
【０００９】
また、折線をシート厚さの１／２〜２／３程度の深さのＵ字状の溝部に形成すると、この溝部から容易に山折りすることができるようになる。この溝部の側端縁をシートの表面から盛上る堤状部にすると、この堤状部が床面のタイルカーペット、カーペット、畳表などに対する滑り止めとして作用し、養生シートが滑って移動するようなことが少ないし、折畳んだものを重ねたときに、この堤状部によってずれ動くことを抑えることができる。
【図面の簡単な説明】
【００１０】
【図１】本発明の実施例を示す斜視図である。
【図２】図１に示すものの正面図である。
【図３】図２に示すものを少し折り曲げた状態の一部省略拡大断面図である。
【図４】図２に示すものを折畳む状態を示す説明図である。
【図５】図４に示すものを折畳み、積み重ねた状態の一部を拡大して示す説明図である。
【考案を実施するための形態】
【００１１】
ポリプロピレン、ポリエチレン、エチレン−プロピレン共重合体、これらの混合物その他のポリオレフィン樹脂を使用し、これを発泡倍率として１．２〜１．８程度の低倍率で発泡させて、発泡ポリオレフィンシート２を形成する。
上記ポリオレフィン樹脂の発泡は、樹脂に適当な発泡剤を混合して押出成形しながら発泡させるようにするとよく、シートの厚みは１．３〜３ｍｍ程度にするとよい。
【００１２】
この発泡ポリオレフィンシート２の表面３には、エンボス加工その他の方法によって低い凹凸を適当なパターンに形成すると、運搬用台車のキャスターや、人が足を滑らすことの防止に役立つようになる。
この発泡ポリオレフィンシート２は必要に応じた適当な大きさに形成することができるが、通常、汎用されている３・６判と言われる９０×１８０ｃｍの長方形に形成すると便利なことが多い。
【００１３】
この発泡ポリオレフィンシート２には、その表面３及び裏面４から交互に複数の折線５を設けている。
図示するものは、シート２の長辺６を４折にするように、中央の折線７を裏面４側から形成し、左側の折線８及び右側の折線９を表面３側から形成しているが、３折、５折など、適宜の大きさとするように折線を設けることができる。
【００１４】
この折線５は、加熱バーをシートの表面や裏面に当て、加熱しながら押圧することによって溝部１０を形成するとよく、この溝部１０の断面は半円形その他適宜の弧状を描くＵ字形に形成するとよい。こうしたシート２は、折線５の部分によって山折りに折り曲げることができるようになる。
【００１５】
上記折線５の溝部１０の深さは、この折線５の部分で折畳むことができるような適当な深さに形成するとよいが、シート２の厚さの１／２〜２／３程度の深さにすると折り曲げ易く、反復して折り曲げることができる。
上記折線５を形成する場合、シート２に上記加熱バーを当てて押圧したときに溝部１０を形成すると共に、溝部１０の側端縁にはシートの表面３または裏面４から盛上った堤状部１１を形成するようにするとよい。
【００１６】
こうした養生シート１は、発泡ポリオレフィンシート２に設けた折線５を順次に山折りしながら交互に折り曲げて行くと、蛇腹状に小さく折畳むことができる（図４）。
こうして折畳んだ養生シート１を積み重ねると、折線５の溝部１０の堤状部１１が突出しているので、これが引掛りとなって積み重ねた養生シート１が互いにずれ動くことが少なく、積み重ねた状態で保管することができる（図５）。
この養生シート１を出荷する場合には、折畳んだものを必要に応じて複数枚重ねてから結束バンドなどで一纏めにして結束して出荷するようにすれば、保管も、運搬も、取扱い易くなって便利である。
【００１７】
これを使用する場合、折畳んだ養生シート１を拡げて床面などに敷くと、裏面４側に設けた折線５の溝部１０の堤状部１１がタイルカーペットや、カーペットや、畳表などに対して軽い係止状態にされ、敷いた養生シート１がずれ動くことを防止できる。また、必要に応じて粘着テープなどによって床面に固定するようにすることができる。
また、床面に敷いた養生シート１には、上記したように表面３に凹凸模様が形成されていると、人や運搬器具のキャスターなどが滑り難くなるが、更に、溝部１０の堤状部１１が上方に突出するようになるので、一層滑り止めの効果を果たすことができる。
【００１８】
作業が終ったら、床面に敷いてある養生シート１を折線５で折り曲げれば、再び小さく折畳むことができるので、養生シートの回収、運搬、保管が容易にできるようになる。
この養生シート１は、上記したように床面の養生に好適に用いることができるが、壁面、ロッカー、家具類その他のものの養生にも広く用いることができる。
【符号の説明】
【００１９】
１    養生シート
２    発泡ポリオレフィンシート
３    表面
４    裏面
５    折線
６    発泡ポリオレフィンシートの長辺
７    中央の折線
８    左側の折線
９    右側の折線
１０  溝部
１１  堤状部
【図１】
0003190057.tif 000003
【図２】
0003190057.tif 000004
【図３】
0003190057.tif 000005
【図４】
0003190057.tif 000006
【図５】
0003190057.tif 000007